(57)【要約】【課題】高圧水流を用いた解繊法によるパルプのナノ微細化において、原料となるパルプのカッパー価の値が高い方がナノ微細化され易いことが明らかにされているが、カッパー価が高いパルプが得られる蒸解条件でパルプを製造すると未蒸解のノット粕が大量に発生するため、実際に操業することは困難である。本発明では実操業可能で高圧水流を用いた解繊法によるパルプのナノ微細化を容易にするパルプ製造法を提供する。【解決手段】本発明は、パルプの高圧水流を用いた解繊法によるナノ微細化を容易にするような高カッパー価パルプの製造において、ノット率が８％以下になるような蒸解条件をＨファクターとの関係性から導き出した。導き出された蒸解条件により得られたパルプは高圧水流を用いた解繊法によるナノ微細化において容易にナノ微細化されることが確認された。【選択図】図２３
2018168520.tif 000002
【特許請求の範囲】
【請求項１】
原料となるパルプのカッパー価を４０以上とすることを特徴とする高圧水流を用いた解繊法によるパルプのナノ微細化を容易にするアルカリ蒸解法によるパルプ製造法。
【請求項２】
原料となるパルプのカッパー価を１８以上とすることを特徴とする高圧水流を用いた解繊法によるパルプのナノ微細化を容易にするクラフト蒸解法によるパルプ製造法。
【請求項３】
アルカリ添加率が１６％以上で、Ｈファクターが３５０以上である請求項１に記載のパルプ製造法。
ここでいうところのＨファクターは、蒸解時に反応系に与えられた熱の送料を示す目安であり、リグノセルロース材料と蒸解液が混ざった時点から蒸解終了時までを積分することで得られる値のことを示し、次式により算出される。
Ｈファクター＝∫ｅｘｐ（４３．２−１６１１３／Ｔ）ｄｔ  （Ｔ：絶対温度、ｔ：時間）
【請求項４】
アルカリ添加率が１６％以上で、Ｈファクターが２２０以上である請求項２に記載のパルプ製造法。
【請求項５】
Ｈファクターからの逆算により算出される蒸解温度１４０℃以上の蒸解条件を満たす請求項３〜４のいずれか一に記載したパルプ製造法。
【請求項６】
蒸解後のノット率を８％以下とする請求項１〜請求項５のいずれか一に記載したパルプ製造法。
【請求項７】
原料を竹とする請求項１〜請求項６のいずれか一に記載したパルプ製造法。
【発明の詳細な説明】
【技術分野】
【０００１】  本発明は、高圧水流を用いたパルプの解繊法において、ナノ微細化をより容易に可能にする原材料パルプの製造法に関する。
【背景技術】
【０００２】  繊維状多糖の一種であるセルロースは、植物、例えば、広葉樹や針葉樹などの木本植物、および竹や葦などの草本植物、ホヤに代表される一部の動物、および酢酸菌に代表される一部の菌類などによって産生されることが知られている。このセルロースが繊維状に集合した構造を有するものをセルロースファイバーと呼び、特に繊維幅が１００ｎｍ以下でアスペクト比が１００以上のものを、一般的にセルロースナノファイバー（ナノセルロース）と呼ばれている。ナノセルロースは、軽量、高強度、低熱膨張率等の優れた性質を有し、その利用に向けた取り組みが盛んに行われている。【０００３】  ナノセルロースの製造法にはさまざまな手法が提案されているが、酸加水分解法やＴＥＭＰＯ触媒酸化法といった化学的手法と、グラインダー法や高圧ホモジナイザー法、水中対向衝突法（ＡＣＣ法）といった物理的手法の２種類に大別される。いずれの手法においても、今後、ナノセルロースが市場に普及するためには、製造効率を上げ、製造コスト削減による販売価格低減が必要である。【０００４】  ナノセルロースの製造コストを下げるためには、ナノ微細化法自体の製造効率を上げる方法と、ナノ微細化法に供する原料を見直す方法が挙げられる。【０００５】  特許文献１は、セルロースナノ繊維を製造するための、拡張可能でエネルギー効率の良い方法を開示することを課題とし、（ａ）セルロース繊維の細胞壁及び繊維間結合を化学的に解重合するためのフリーラジカルの形成を促進する条件下で比較的高装入量のオゾン；又は（ｂ）セルラーゼ酵素；の一つ又は両方による解重合処理を使用する。解重合はパルプ粘度の変化によって推定できる。解重合処理の後又は同時に処理繊維を機械的に粉砕する。その粉砕はいくつかの機械的粉砕装置のいずれかで実施され、エネルギー節約の量は粉砕系のタイプ及び処理条件によって異なる。粉砕は、繊維長、％ファイン又はスラリー粘度などのいくつかの終点測定のいずれかに至るまで実施されるセルロースナノ繊維の形成法を開示した。【０００６】  特許文献２はＡＳＴＭ試験１９７５−９６による測定にて２００〜１０００の重合度を有するセルロースパルプとリヨセルとのフィブリル化ブレンドであって、リヨセル繊維の少なくとも一部が３〜１２ｍｍの長さを有する上記フィブリル化ブレンを開示した。【０００７】  現在ナノセルロースの製造には、一般的に広く流通しており、低コストでの製造法が確立されているクラフト蒸解法により製造された木材由来パルプ（木材パルプ）が原材料として利用されている。クラフト蒸解法は原料となる木材チップを白液と呼ばれるＮａＯＨとＮａ２Ｓの混合液と共に高温（１４０〜１８０℃）、高圧で数時間処理して得られる。しかしこの製造法は、脱リグニンを促進することにより、本来の目的である紙をより効率よく製造するための製造法であり、決して、全てのナノ微細化法に適した原料とは言えない。【０００８】  本発明者等はこれまでの研究の成果として、高圧水流を用いた解繊法の一つである水中カウンターコリジョン（ＡＣＣ）法によるアルカリ蒸解竹未晒パルプのナノ微細化において、原料となるパルプの残存リグニン量の指標となるカッパー価の値が高い方が、ナノ微細化され易���ことを見出している（非特許文献１）。【０００９】  ＡＣＣ法は、特許文献３にも開示されているように、水に懸濁した天然セルロース繊維をチャンバー（図１：１０７）内で相対する二つのノズル（図１：１０８ａ，１０８ｂ）に導入し、これらのノズルから一点に向かって噴射、衝突させる手法である（図１）。この手法によれば、天然微結晶セルロース繊維（例えば、フナセル）の懸濁水を対向衝突させ、その表面をナノフィブリル化させて引き剥がし、キャリアーである水との親和性を向上させることによって、最終的には溶解に近い状態に至らせることが可能となる。図１に示される装置は液体循環型となっており、タンク（図１：１０９）、プランジャ（図１：１１０）、対向する二つのノズル（図１：１０８ａ，１０８ｂ）、必要に応じて熱交換器（図１：１１１）を備え、水中に分散させた微粒子を二つのノズルに導入し高圧下で合い対するノズル（図１：１０８ａ，１０８ｂ）から噴射して水中で対向衝突させる。この手法では天然セルロース繊維の他には水しか使用せず、繊維間の相互作用のみを解裂させることによってナノ微細化を行うため、セルロース分子の構造変化がなく解裂に伴う重合度低下を最小限にした状態でセルロースナノ繊維を得ることが可能となる。【００１０】  前述のクラフト蒸解法は、紙の重要品質の一つである白色度（紙の白さを示す指標）を向上させるため、脱リグニン性が良い蒸解法となっている。そのため、未晒パルプにおいてもカッパー価が低く、高圧水流による解繊法におけるナノ微細化においては、ナノ化され易い原料とは言い難い。【００１１】  一方、本発明者等がこれまでの研究で行ってきたアルカリ蒸解は、クラフト蒸解法が発明される以前に利用されていた蒸解法で、原料チップとＮａＯＨの混合液を高温高圧で処理する蒸解法である。しかし、クラフト蒸解法が主流となった現在では、脱リグニン性がクラフト蒸解よりも悪いため、工業生産に利用されることは殆ど無い状況にある。
【先行技術文献】
【特許文献】
【００１２】
【特許文献１】特表２０１５−５２１６９４号公報
【特許文献２】特表２０１２−５２６９２３号公報
【特許文献３】特開２００５−２７０８９１
【非特許文献】
【００１３】
【非特許文献１】平成２７年度  環境省セルロースナノファイバー活用製品の性能評価事業委託業務  研究成果報告書「多機能性・竹ナノセルロースの低エネルギー型生産プロセスの確立」
【発明の概要】
【発明が解決しようとする課題】
【００１４】  本発明者等は、高圧水流を用いたる解繊法の一つである水中カウンターコリジョン（ＡＣＣ）法によるパルプのナノ微細化において、よりナノ微細化され易い条件として、カッパー価が高いパルプを原料に利用することを提案し、そのパルプの製造法として、蒸解が穏やかに進行するアルカリ蒸解法を採用し、比較的温和な条件（アルカリ添加率１５％、１４０℃）を見出した。しかし、蒸解を温和な条件で行うがゆえ、蒸解が不十分なノット粕が大量に発生し、実際に工業生産するには設備的に難しいという問題が生じていた。【００１５】  本発明は以上の従来技術における問題に鑑み、蒸解温度と蒸解時間を最適化することにより、実操業が可能で、高圧水流を用いた解繊法によるパルプのナノ微細化を容易にするアルカリ蒸解法における蒸解条件を提供することを目的とする。
【課題を解決するための手段】
【００１６】  本発明者等は、高圧水流を用いた解繊法の一つであるＡＣＣ法による竹パルプのナノ微細化において、原料パルプのカッパー価の値が高い方がナノ微細化され易いことを明らかにしたが、この条件で竹チップを蒸解した場合、未蒸解のノット粕が大量に発生し、実際に操業するのには厳しい条件（理想的にはノット率５％以下）であることも同時に判明した。本発明者等は、この点をさらに検討し、実操業が可能なノット率５％以下を満たし、且つ高圧水流を用いた解繊法によるパルプのナノ微細化を容易にする竹のアルカリ蒸解法における蒸解条件を見出した。
また、本発明者等は、高圧水流を用いた解繊法によるパルプのナノ微細化が、原材料に竹を用いることで木材よりも容易に進行することを見出した。【００１７】  高圧水流を用いた解繊法によるパルプのナノ微細化では、ナノセルロース間の結合（主に水素結合とファンデルワールス力）を開裂させる必要がある。ナノセルロースを構成しているセルロース分子は側鎖に水酸基を有しており、主にこの水酸基により形成される水素結合によってナノセルロース同士が強く結びついている。原料となるパルプはナノセルロースの集合体であるが、その基になる木材や竹等は、ナノセルロース以外に、リグニンやヘミセルロースといったセルロース以外の成分を多く含有している。一般的な紙を製造するために調製されたパルプは、本来、ナノセルロース間に存在していたセルロース以外の成分を可能な限り除去しているため、ナノセルロース間には多くの水素結合が形成されており、それによりナノ微細化を難しくしていると考えられる。
本発明によれば、残存リグニン量の指標となるカッパー価の値が高い状態でパルプ化することで、ナノ微細化の際にパルプ内に残存（点在）するリグニンがナノセルロース間の結合を開裂する際の応力集中点、すなわちＷｅａｋ−ｐｏｉｎｔになり、ナノ微細化を容易にすると考えられる。【００１８】  カッパー価が高い状態でパルプ化するためには、穏和な条件で蒸解処理に供する必要があるが、穏和な条件ゆえ、蒸解が不十分なノット粕が大量に発生する。大量なノット粕の発生は、実際の製造設備で操業を行う際に支障を来たすため、ノット粕の発生量を操業可能なレベル（一般的に重量比で５％以下が理想）に押さえる必要がある。
本発明によれば、製紙用パルプ製造で一般的に用いられているクラフト蒸解法ではなく、より穏和に蒸解が進行するアルカリ蒸解法を用い、竹を原料とする場合、アルカリ添加率（ＡＡ）１７−１９％（好ましくは１８−１９％）、処理温度１４０−１７０℃（好ましくは１５５−１６０℃）、処理時間１９−４５１分（好ましくは５６−１０８分）の条件で処理することにより、ノット率が実操業可能な５％以下に抑えられ、かつカッパー価を最大にすることが可能になる。【００１９】  すなわち本発明の高圧水流を用いた解繊法によるパルプのナノ微細化を容易にするパルプ製造法は、原料に竹を用い、パルプのカッパー価が４０以上、好ましくは４３以上、且つ蒸解後の残渣の指標となるノット率が８％以下、好ましくは５％以下になる条件でアルカリ蒸解法を用いることを特徴とする。【００２０】  また、本発明の高圧水流を用いた解繊法によるパルプのナノ微細化を容易にするパルプ製造法は、アルカリ添加率１６％以上においてＨファクターが３５０以上、好ましくは４００以上となる蒸解条件において最適化される。尚、ここでいうところのＨファクターは、蒸解時に反応系に与えられた熱の送料を示す目安であり、リグノセルロース材料と蒸解液が混ざった時点から蒸解終了時までを積分することで得られる値のことを示し、次式により算出される。
Ｈファクター＝∫ｅｘｐ（４３．２−１６１１３／Ｔ）  ｄｔ（Ｔ：絶対温度、ｔ：時間）【００２１】  さらには、本発明の高圧水流を用いた解繊法によるパルプのナノ微細化を容易にするパルプ製造法はアルカリ蒸解法においてより最適な効果が得られるが、クラフト蒸解法においても、蒸解後のパルプのカッパー価を１８以上、好ましくは２１以上になるような蒸解条件を用いてパルプの製造を行うことで、高圧水流を用いた解繊法によるパルプのナノ微細化を容易にすることが可能になる。【００２２】  尚、クラフト蒸解による高圧水流を用いた解繊法によるパルプのナノ微細化を容易にするパルプ製造法においては、アルカリ添加率１６％以上においてＨファクターが２２０以上、好ましくは２５０以上となる蒸解条件において最適化される。【００２３】  本発明の高圧水流を用いた解繊法によるパルプのナノ微細化を容易にするパルプ製造法は、アルカリ蒸解法、およびクラフト蒸解法のいずれを用いた場合においても、Ｈファクターからの逆算により算出される蒸解温度１４０℃以上の蒸解条件を満たすことで、より最適化される。【００２４】  蒸解後のノット率は、一般的な製造現場で操業可能な条件として８％以下、好ましくは５％以下が望ましいが、製造装置の改良や処理量の増減により変動するため、この限りではない。実操業可能なノット率であれば本発明の高圧水流を用いた解繊法によるパルプのナノ微細化を容易にするパルプ製造法は適用できる。【００２５】  本発明の高圧水流を用いた解繊法によるパルプのナノ微細化を容易にするパルプ製造法は、原料に竹を用いることでより最適なパルプ製造が可能になるが、原料は竹に限定されない。原料としては、竹のほか、構成成分中にリグニンを含有する天然素材、例えば木材、草類などに適用できる。【００２６】  本発明で製造されたパルプの高圧水流を用いた解繊は、０．５〜１０％（ｗ／ｗ）の水混合液にしたパルプに対し、５０〜４００ＭＰａ程度の高圧水を用いて行うことができる。これは例えば図２に示すナノセルロースの製造装置１を用いて行うことができる。ナノセルロースの製造装置１は、一のチャンバー２に対してパルプスラリを供給可能に配置される第１の液状媒体供給経路であるところのパルプスラリ供給経路３と、例えば水である非パルプスラリを一のチャンバー２を介して循環させる第２の液状媒体供給経路４よりなる。一のチャンバー２内には第２の液状媒体供給経路４の非パルプスラリをパルプスラリ供給経路３からのパルプスラリ供給方向と交差する方向にオリフィス噴射するオリフィス噴射部５を備える。パルプスラリ供給経路３は、パルプスラリを一のチャンバー２を介して循環可能にされる。【００２７】  パルプスラリ供給経路３と第２の液状媒体供給経路４とは一のチャンバー２内に相互の交差部６を有する。
パルプスラリ供給経路３はパルプスラリ供給部でありパルプスラリを貯留するタンク７、ポンプ８を循環路９に配置してなり、一方、第２の液状媒体供給経路４はタンク１０、ポンプ１１、熱交換器１２、プランジャ１３を循環路である液状媒体供給経路４に配置してなる。【００２８】  なお非パルプスラリは、例えば水であり、当初タンク１０に収納され、その後ナノセルロースの製造装置１の作動に伴い交差部６を通過してタンク１０に収納されたナノ微細化されたパルプを操業の度合いに応じた濃度で含むことになった状態のものをも、包括的に指称する。【００２９】  図３に示すようにチャンバー２を貫通する態様でパルプスラリ供給経路３の循環路９が配置され、これと交差する方向に非パルプスラリをオリフィス噴射して循環路９を貫通させることができるように第２の液状媒体供給経路４のプランジャ１３に接続されるオリフィス噴射部５のオリフィス噴射口１４がチャンバー２内側において開口する。チャンバー２のオリフィス噴射口１４と対向する位置にチャンバー２の排出口１５が設けられ、このチャンバー２の排出口１５に第２の液状媒体供給経路４の循環路が接続されて、第２の液状媒体供給経路４が構成される。【００３０】  一方、パルプスラリ供給経路３の循環路９は例えばビニルホース、ゴムホース等を用いて形成され、その循環路９のチャンバー２への入り側にはチャンバー２方向にのみ開弁される一方向弁１６が取りつけられる。さらに循環路９のチャンバー２からの出側にはチャンバー２からの排出方向にのみ開弁される一方向弁１７が取りつけられる。加えてチャンバー２と一方向弁１７の間の循環路９にはエア吸入弁１８が取りつけられ、このエア吸入弁１８は外部から循環路９へエアを吸入する方向にのみ開弁される。【００３１】  以上のナノセルロースの製造装置によれば以下のようにしてナノセルロースが製造される。
非パルプスラリをチャンバー２を介して第２の液状媒体供給経路４を循環させる。具体的にはポンプ１１を用いてタンク１０内の非アルカリ蒸解未晒竹パルプスラリを熱交換器１２、プランジャ１３を通過させて液状媒体供給経路４内を循環させる。一方、パルプスラリをチャンバー２を介してパルプスラリ供給経路３内を循環させる。具体的にはポンプ８を用いてタンク７内のパルプスラリをビニルホース、ゴムホース等を用いて形成された循環路９内を循環させる。【００３２】  これにより、パルプスラリ供給経路３内を循環してチャンバー２内を流通するパルプスラリに対して第２の液状媒体供給経路４を循環する非パルプスラリがオリフィス噴射される。具体的にはプランジャ１３に接続されるオリフィス噴射口１４にプランジャ１３から高圧水が供給され、これがオリフィス噴射口１４から循環路９に向けて５０〜４００ＭＰａ程度の高圧でオリフィス噴射される。【００３３】  その結果、例えばビニルホース、ゴムホース等を用いて形成された循環路９に予め形成された貫通孔２６ａ、ｂを通過して、循環路９と交差する方向に循環路９内側を通過した非パルプスラリが循環路９内を循環するパルプスラリを巻き込みながらチャンバー２の排出口１５に向けて排出され、第２の液状媒体供給経路４に流入する。これによって、非パルプスラリが第２の液状媒体供給経路４内を再度循環する。
以上のプロセスを反復する過程でパルプスラリ供給経路３内を循環してチャンバー２内を流通するパルプスラリ及び第２の液状媒体供給経路４を循環する非パルプスラリ中のパルプが徐々に解繊されて、用途に応じた解繊度合いの均一性の高いナノセルロースが得られる。【００３４】  その他にパルプを高圧水流にて解繊してナノセルロースとする手法としては破砕型ホモバルブシートを備えたホモジナイザーでパルプを溶媒に分散させた分散液を処理するホモジナイズ処理法がある。図４に示されるようにこのホモジナイズ処理法によれば高圧でホモジナイザー内を圧送されるパルプ１０１が、狭い間隙である小径オリフィス１０２を通過する際に、小径オリフィス１０２の壁面（特にインパクトリング１０３の壁面）と衝突することにより、剪断応力又は切断作用を受けて分割され、均一な繊維径を有するナノ微細化が行われる。【００３５】  さらにパルプを高圧水流にて解繊してナノセルロースとする手法としては前述の水中対向衝突法などがあるが、本発明で示す高圧水流を用いた解繊法はこの限りではない。
【発明の効果】
【００３６】  本発明によれば、原料に竹を用い、パルプのカッパー価が４０以上、好ましくは４３以上、且つ蒸解後の残渣の指標となるノット率が８％以下、好ましくは５％以下になる条件でアルカリ蒸解法を用いることにより、高圧水流を用いた解繊法によるパルプのナノ微細化を容易にする原料パルプを得ることができる。
【図面の簡単な説明】
【００３７】
【図１】  水中対向衝突法（ＡＣＣ法）によるナノセルロース製造装置の概念図である。
【図２】  本発明の高圧水流を用いた解繊法によるパルプのナノ微細化を容易にするパルプ製造法によって得られたパルプを用いるナノセルロース製造装置の一例の概念図である。
【図３】  図２に示すナノセルロース製造装置の一部を拡大して示す概念図である。
【図４】  本発明の高圧水流を用いた解繊法によるパルプのナノ微細化を容易にするパルプ製造法によって得られたパルプを用いるナノセルロース製造装置のさらに他の例の概念図である。
【図５】  異なるカッパー価のパルプをＡＣＣ法によりナノ微細化して得られたナノセルロースの繊維幅と原料パルプのカッパー価の関係を示すグラフである。
【図６】  各アルカリ添加率におけるＨファクターとノット率（補正値使用）の関係（蒸解条件：アルカリ蒸解、竹）を示すグラフである。
【図７】  各アルカリ添加率におけるＨファクターとカッパー価の関係（蒸解条件：アルカリ蒸解、竹）を示すグラフである。
【図８】  各蒸解温度におけるアルカリ添加率とカッパー価の関係（蒸解条件：アルカリ蒸解、竹）を示すグラフである。
【図９】  竹のアルカリ蒸解によって生じるノット粕を示し、（ａ）針状のノット粕と（ｂ）粒子状のノット粕を示す。
【図１０】  本発明の過程で想定された竹のアルカリ蒸解の進行プロセスを示す説明図
【図１１】  アルカリ添加率１７，１８，１９％におけるＨファクターとノット率の関係（蒸解条件：クラフト蒸解、竹）を示すグラフである。
【図１２】  アルカリ添加率１７，１８，１９％におけるＨファクターとカッパー価の関係（蒸解条件：クラフト蒸解、竹）を示すグラフである。
【図１３】  アルカリ添加率１７，１８，１９％それぞれにおけるＨファクターとカッパー価の関係（蒸解条件：クラフト蒸解、竹）を示すグラフである
【図１４】  ノット率が５％になるときのアルカリ蒸解とクラフト蒸解の比較を示すグラフである。
【図１５】  微分干渉観察による画像処理例
【図１６】  微分干渉観察画像（５パス処理試料）
【図１７】  二値化後の画像（５パス処理試料）
【図１８】  微分干渉観察画像（３０パス処理試料）
【図１９】  二値化後の画像（３０パス処理試料）
【図２０】  各サンプルの残存ファイバー量の比較を示すグラフである。
【図２１】  各サンプルの残存ファイバー量の比較（図２０を並び替えたグラフ）を示すグラフである。
【図２２】  ５パス処理試料のＴＥＭ画像
【図２３】  ５パス試料のＴＥＭ画像（図２２四角部の拡大像）。矢印は幅４〜５ｎｍのシングルナノファイバーを示す。
【発明を実施するための形態】
【００３８】  以下に本発明の高圧水流を用いた解繊法によるパルプのナノ微細化を容易にするパルプ製造法と、それにより得られたパルプを高圧水流を用いた解繊法の一つであるＡＣＣ法によりナノ微細化した際のナノ化挙動の特徴について詳細に説明する。
【００３９】  蒸解時間を１２０分に固定し、アルカリ添加率（ＡＡ）１５％、１７％、蒸解温度１４０℃、１５０℃、１６０℃の条件で竹チップを原料としたアルカリ蒸解を実施し、蒸解後に得られたパルプのカッパー価と蒸解残渣（ノット）の量、およびそれらを高圧水流を用いた解繊法の一つであるＡＣＣ法により処理回数５パスと３０パスに供した際に得られたナノセルロースの繊維幅を測定した結果を表１に示した。
【表１】
2018168520.tif 000003
【００４０】  図５に、表１の結果を基にグラフ化した、ナノ微細化に供したパルプのカッパー価と各処理回数のナノ微細化処理を施して得られたナノセルロースの繊維幅の関係を示した。ＡＣＣ法による処理回数が３０パスでは、繊維幅はカッパー価の上昇に伴い直線的に減少した。一方、５パスでは、カッパー価の高い領域では大きな変化は無いが、低い領域になると急激に増加した。
【００４１】  高圧水流を用いた解繊法による通常の製紙用パルプのナノ微細化では、ナノセルロース間の結合（主に水素結合とファンデルワールス力）を開裂させる必要がある。残存リグニン量の指標となるカッパー価の値が高いパルプのナノ微細化では、パルプ内に残存（点在）したリグニンがナノセルロース間の結合を開裂する際の応力集中点、すなわちＷｅａｋ−ｐｏｉｎｔになるものと考えられる。しかし、カッパー価の値が小さく残存リグニン量が少ない状態では、ナノ微細化の際のこのＷｅａｋ−ｐｏｉｎｔが少なく、結果としてナノ微細化し難く、得られたナノセルロースの繊維幅が高かったと考えられる。特にナノ微細化の初期段階（低パス領域）ではその影響は強く表れ、図５の５パス処理時のように、カッパー価が繊維幅に強く影響を与えたと考えられる。
【００４２】  すなわち、高圧水流を用いた解繊法によるパルプのナノ微細化では、原料となるパルプのカッパー価の値が高い方、つまり残存するリグニン量が多い方が、より容易にナノ微細化することが示された。
しかし、カッパー価が高い蒸解条件だとノット率が高く、実際に操業するのには厳しい条件（理想的にはノット率５％以下）であった。
【００４３】  そこで、ノット率が５％以下になり、カッパー価が最大になる条件を模索するため、蒸解時間を１２０分に固定し、アルカリ添加率（ＡＡ）１７％、１８％、１９％、蒸解温度１４０℃、１５０℃、１６０℃の条件で竹チップを原料としたアルカリ蒸解を実施し、蒸解後に得られたパルプのカッパー価と蒸解残渣（ノット）の量を比較した。表２に結果の一覧を示す。ここで、異なる蒸解条件を一元化するため、蒸解温度と蒸解時間から算出される「Ｈファクター」を各条件において算出し、Ｈファクターに対するカッパー価、Ｈファクターに対するノット率を各ＡＡにおいてグラフ化した。図６、図７にその結果を示す。
ここでいうところのＨファクターとは、蒸解時に反応系に与えられた熱の総量を表す目安であり、リグノセルロース材料と蒸解液が混ざった時点から蒸解終了時までを積分することで次式により得られる。
Ｈファクター＝∫ｅｘｐ（４３．２−１６１１３／Ｔ）ｄｔ  （Ｔ：絶対温度、ｔ：時間）
【表２】
2018168520.tif 000004
【００４４】  図６より、ノット率はＨファクターの上昇に伴い減少し、さらには同じＨファクターでもＡＡが上昇するに連れ発生するノット率は低下することが明らかになった。この結果から、実操業可能なノット率５％を満たすためには、ＡＡ＝１７％では、Ｈファクターが７５８以上、ＡＡ＝１８％ではＨファクターが５０７以上、ＡＡ＝１９％ではＨファクターが４３７以上必要であることが示唆された。
また、図７より、カッパー価はＨファクターの上昇に伴い減少し、さらには同じＨファクターでもＡＡが上昇するに連れカッパー価は低下することが明らかになった。この結果から、実操業可能なノット率５％を満たし、カッパー価が最大になる各ＡＡにおけるＨファクターとカッパー価の値は、ＡＡ＝１７％ではＨファクターが７５８でカッパー価が３６、ＡＡ＝１８％ではＨファクターが５０７でカッパー価が４３、ＡＡ＝１９％ではＨファクターが４３７でカッパー価が４３であることが示唆された。
【００４５】  図８に、各蒸解温度で蒸解した際に得られたパルプのアルカリ添加率とカッパー価の関係を、表１と表２の結果からプロットした。蒸解温度１４０℃では、ＡＡ＝１７〜１８％以上でカッパー価の低下が頭打ちとなったが、ＡＡ＝１７％以下ではＡＡ＝１％あたり１．５ポイントの割合で低下していた。一方、蒸解温度１６０℃では２．４〜２．６ポイントの割合で低下しており、同じアルカリ添加率の変化でも蒸解温度が高い方がカッパー価の低下が激しいことを示した。
【００４６】  蒸解において添加されたアルカリは、チップ内のリグニンを溶出させる働きをする。チップ内のリグニンは、植物細胞壁の階層構造のさまざまな部位に存在するが、穏和な条件では、パルプ内（二次壁）のリグニン溶出よりもパルプ間（細胞間層）のリグニン溶出が優先されると考えられる。１４０℃、および１５０℃のＡＡ＝１７％−１８％間のカッパー価低下量はＡＡ＝１％あたり１．４〜１．５ポイントだが、１５０℃のＡＡ＝１８％−１９％間では１．８ポイントに上昇し、１６０℃では２．４〜２．６ポイントとさらに上昇している。つまり、１５０℃のＡＡ＝１８％以下の条件では、添加されたアルカリは主にパルプ間のリグニン溶出に働き、１５０℃のＡＡ＝１８％以上の条件では、パルプ間に加え、パルプ内からのリグニン溶出が大きいと考えられる。
【００４７】  図９は竹のアルカリ蒸解で発生したノット粕の写真である。ノット粕は大別して２種類の形態が観察された。一つは図９（ａ）のような針状のノット粕で、これは木材のクラフト蒸解でも頻繁に見られる通常のノット粕である。もう一つは、木材では見られない、図９（ｂ）のような粒子状のノット粕である。このノット粕（ｂ）は、アルカリ蒸解だけでなく、クラフト蒸解でも見られることから、竹特有のノット粕と思われる。
【００４８】  １６０℃で蒸解された試料のノット率は、ＡＡ＝１７％、１８％、１９％でそれぞれ、５．０％、３．３％、２．４％であった。この時発生したノット粕を見ると、他の蒸解温度で見られるような針状のノット粕（図９（ａ））は殆ど無く、粒子状のノット粕（図９（ｂ））ばかりであった。
【００４９】  他の条件で蒸解した場合においても、図９（ａ）のノット粕はノット率の低下に伴い減少する傾向を示したが、図９（ｂ）のノット粕はノット率に関係なく、試験したどの条件においてもほぼ同程度残存していた（目視による観察。正確な計量は行っていない）。また、前述のように、１６０℃で蒸解されたノット粕には図９（ａ）のノット粕は殆ど無く、図９（ｂ）のノット粕だけが存在していた。このことから、図９（ｂ）のノット粕は、非常に蒸解され難いが、チップからは容易に離脱されることが示唆された。
【００５０】  以上のことから、竹のアルカリ蒸解プロセスとして、図１０のような進行過程が考えられる。まず、蒸解の初期段階では、パルプ間のリグニン（細胞間層リグニン）が優先的に溶出し、パルプ内のリグニン（二次壁リグニン）溶出は少ない状態で進行する。細胞間層リグニンが少なくなってくると（蒸解中期）、二次壁リグニンの溶出が増えてくる。そして、細胞間層リグニンがほぼ無くなり、針状のノット粕（図９（ａ））が無くなると、二次壁リグニンの溶出だけが進行し、カッパー価が低下する。粒子状のノット粕（図９（ｂ））は、蒸解初期から発生し、殆ど蒸解されずに蒸解終了時まで残存すると考えられる。つまり、非常に蒸解され難い粒子状のノット粕（図９（ｂ））が残存するため、蒸解条件を強くしてもノット率はなかなかゼロにはならず、二次壁リグニンの溶出ばかりが進行することが考えられる。
【００５１】  すなわち、ノット率を低減するためにＨファクターを高くしても、ノット率の低下よりもカッパー価の低下の方が優先的に起こることが、上記のアルカリ蒸解プロセスの考察からいえる。
【００５２】  高圧水流を用いた解繊法によるパルプのナノ微細化では、残存リグニンの指標となるカッパー価の値が高い方が、より容易にナノ微細化が進行すると考えられるため、ノット率が５％以下になる条件検討で得られた「ＡＡ＝１７％、Ｈファクター７５８、カッパー価３６」という条件よりも、ＡＡ＝１８％および１９％の条件の方が、ナノ微細化を容易にするためには、より好ましいといえる。
【比較例１】
【００５３】  本発明は、蒸解後のカッパー価を高くすることを目的に、現在主流ではないアルカリ蒸解法を用いて検討を行った。以下に、現在一般的なパルプ製造に用いられているクラフト蒸解法で同様の比較検討を行った結果について説明する。
【００５４】  アルカリ蒸解の検討で使用したものと同じ竹チップを原料に、アルカリ添加率（ＡＡ）と蒸解温度、蒸解時間を変えてクラフト蒸解法によりパルプ化を実施し、得られたパルプのカッパー価、ノット率、Ｈファクターの関連性を導き出した。図１１、図１２にその結果を示す。
【００５５】  図１１より、ノット率はＨファクターの上昇に伴い減少し、さらには同じＨファクターでもＡＡが上昇するに連れ発生するノット率は低下することが明らかになった。この結果から、実操業可能なノット率５％を満たすためには、ＡＡ＝１７％では、Ｈファクターが８３５以上、ＡＡ＝１８％ではＨファクターが３９９以上、ＡＡ＝１９％ではＨファクターが３２０以上必要であることが示唆された。
図１２にはＨファクターとカッパー価の関係性を示したが、グラフから得られた近似式では、実測値の値と近似曲線のズレが大きいため、図１３に示したように近似曲線を引き直し、そこから得られた関係式より、実操業可能なノット率５％を満たし、カッパー価が最大になる各ＡＡにおけるＨファクターとカッパー価の値を導いた。その結果、ＡＡ＝１７％ではＨファクターが８３５でカッパー価が１８．１、ＡＡ＝１８％ではＨファクターが３９９でカッパー価が２１．１、ＡＡ＝１９％ではＨファクターが３２０でカッパー価が２１．０であることが示唆された。
【００５６】  上記の検討より得られた結果を、アルカリ蒸解試験の結果と比較した（図１４）。ノット率が５％になるときのＨファクターは、低アルカリ添加率においてはアルカリ蒸解の方が低いが、ＡＡ＝１７〜１８％で逆転し、ＡＡ＝１８％以上ではクラフト蒸解の方が低くなった。ノット率が５％になるときのカッパー価はいずれのアルカリ添加率においてもクラフト蒸解の方が低く、クラフト蒸解の方がアルカリ蒸解よりもリグニン除去が促進されることが明らかになった。
【００５７】  すなわち、高圧水流を用いた解繊法によるパルプのナノ微細化では、蒸解後のパルプに残存するリグニン量の指標となるカッパー価が高い方が容易にナノ微細化され易いという結果と合わせると、蒸解後のパルプのカッパー価をアルカリ蒸解法よりも高く維持することが不可能なクラフト蒸解法で得られたパルプは不向きであることが示唆された。
【実施例１】
【００５８】  以下に、本発明を実施例によってさらに詳細に説明する。ただし、本発明は以下の記載によっては限定されない。【００５９】  上記の検討により得られた高圧水流を用いた解繊法によるパルプのナノ微細化を容易にするパルプの蒸解条件は、蒸解温度と蒸解時間を限定しないＨファクターによる検討を行った。そこで、このＨファクターから逆算して蒸解温度と蒸解時間を決定したアルカリ蒸解法における蒸解条件の一覧を表３に、クラフト蒸解法における蒸解条件の一覧を表４に示す。
【表３】
2018168520.tif 000005
【表４】
2018168520.tif 000006
【００６０】  Ｈファクターより逆算して得られた表３、表４に示す蒸解温度と蒸解時間のうち、一般的な実操業を加味すると、蒸解時間が長過ぎたり短過ぎたりする条件は現実的ではない。また、高圧水流を用いた解繊法によるパルプのナノ微細化では、蒸解後のパルプに残存するリグニン量の指標となるカッパー価が高い方が容易にナノ微細化され易いという結果から、表３、表４に示す条件の中から、５条件を選定し、この５条件で各蒸解法によるラボ蒸解を実施した。ただし、クラフト蒸解については、アルカリ蒸解に比べてカッパー価が低く、ナノ化され難いことが想定されたため、表４のＡＡ＝１９％の条件とほぼ同じ条件で比較例１の検討の際に試験したパルプを代表として用いた。
この５条件と、その条件で蒸解して得られた試験結果を表５に示す。
【表５】
2018168520.tif 000007
【００６１】  表５に示すラボ蒸解の結果は、検討により推定された「ノット率５％以下」でカッパー価が最大になる条件をほぼ満たしていたことから、上記の検討結果の妥当性を示した。
【実施例２】
【００６２】  実施例１で得られた表５に示すパルプを、処理濃度０．０５％（ｗ／ｗ）、噴出圧力２００ＭＰａ、処理回数５パスおよび３０パスの条件で、高圧水流を用いた解繊法の一つであるＡＣＣ処理にそれぞれ供し、各ナノセルロース分散水を得た。
なお、ＡＣＣ処理に供したパルプは、ノット率５％以下を満たす上限に近いパルプのため、ノットスクリーンを通過した微細なノット粕が多く残存していた。ＡＣＣ機のチャンバーノズル径はφ１６０μｍと細いため、このノット粕が直ぐに目詰まりを起こし処理が出来なかった。そこで、大きめなノット粕をＡＣＣに供する前のパルプ懸濁水からピンセットを用いて手作業で除去したのちＡＣＣ処理に供した。【００６３】  得られた各ナノセルロース分散水中のナノセルロースおよび解繊が不十分なマイクロサイズのファイバーを評価することにより、各条件で得られたパルプの高圧水流を用いた解繊法によるナノ微細化の「され易さ」を比較検討した。【００６４】  評価する試料はＡＣＣ処理回数が５ｐａｓｓと少なく、未解繊のマイクロファイバーが多く存在するうえ、微細化されたナノファイバーの繊維幅分布もブロードな「不均一な状態」である。そのため、通常のＴＥＭ観察による繊維幅の比較ではバラツキが激しく、適切な評価が難しい。そこで、得られた「ナノファイバー」により評価を行うのでは無く、解繊が不十分な「マイクロファイバー」の残存状態の比較による評価を試みた。【００６５】  各ナノセルロース分散水をスライドガラスに滴下することで作成したプレパラートを、微分干渉観察（１００倍、モノクロ）モードで撮影し、カラーバランスを調整して白黒をより明確にした。その画像をＩｍａｇｅ  Ｊで取り込み、一定の閾値で二値化してからファイバー箇所の面積を求め比較した。尚、測定誤差の軽減を目的に、画像連結機能を用いて１００枚分の画像を１枚の画像に連結することで、なるべく広範囲の観察を行った。画像処理に供した画像のサイズはスケールバーより算出し（約６ｍｍ×８ｍｍ）、カバーガラス（１８ｍｍ×１８ｍｍ）との面積比、プレパラート作成時のサンプル滴下量およびサンプル濃度より、測定箇所に存在するファイバー重量を求め、得られたファイバー面積を測定したサンプル重量あたりの面積に換算して比較を行った。【００６６】  典型例として、画像連結前の観察像を用いて以下に説明する（図１５）。図１５ａ）は通常の観察法で取得したファイバーの画像である。比較的大きなファイバーは判別可能だが、フィブリル化した末端のファイバーは確認し難い。しかし、微分干渉光学顕微鏡観察を行った図１５ｂ）だと、末端の細かなファイバーまで確認できる。この画像のカラーバランスを調整した画像が図１５ｃ）である。この処理を行うことにより、淡く映り込んでいるゴミやムラ等を黒色にしてファイバーを明確にした。この段階での画像は、モノクロの白黒階調を有する画像であるため、画像処理ソフト（Ｉｍａｇｅ  Ｊ）を用い、一定の閾値を設けて二値化した（図１５ｄ））。これにより画像は白と黒の二色に変換される。その後、ファイバー存在箇所にあたる黒色部の面積を算出した。観察に用いたプレパラートは、先を切ったピペッターを用い、スライドガラスに滴下したサンプルがカバーガラスからはみ出ない量を滴下した（約０．０１ｇ）。各サンプルの滴下量は、精密天秤にて記録した。プレパラート作成後、カバーガラスの縁をマニキュアでシールし、溶媒の蒸発およびファイバーがカバーガラス縁に移動するのを防止した。その後���カバーガラスの縁を除いた任意の箇所の画像を撮影し、上記の処理に供した。観察はＬｉｅｃａの倒立顕微鏡ＤＭｉ８を用い表６に示す微分干渉光学顕微鏡を用いる観察条件にて行った。また、画像処理はフリーソフトＩｍａｇｅ  Ｊを用い表７に示す画像処理条件で処理した。
【表６】
2018168520.tif 000008
【表７】
2018168520.tif 000009
【００６７】  各試料の微分干渉観察像と二値化後の画像を図１６〜図１９に示した（図１６、１７は５パス処理試料、図１８、１９は３０パス処理試料）。５パス処理試料では、繊維長が数ｍｍある未解繊のファイバーが多く存在しており、Ａ−２、Ａ−４、Ｋ−１ではその量が多いように見受けられた（図１６、図１７）。特にＫ−１は他に比べ繊維長が長く、量も多かった。一方、３０パス処理試料では、５パス処理試料に見られたような大きなファイバーは殆ど残存しておらず、幅も長さも小さくなったファイバーが、ダマ状に存在していた（図１８、図１９）。このダマ状のファイバー塊は、クラフト蒸解試料由来（Ｋ−１）では少なくアルカリ蒸解試料由来（Ａ−１〜４）で多い傾向にあった。【００６８】  画像の二値化によって計測されたファイバー箇所の面積を、そこに存在する全ファイバー１ｇあたりの面積に換算して各サンプルを比較したものが図２０である。得られた数値は画像の見た目の感覚とほぼ同じ傾向を示しており、この手法により、残存ファイバー量が適切に数値化されていると判断される。５パス処理試料におけるＡ−１、Ａ−３の残存ファイバー量は他の半分以下であり、これらのサンプルは他に比べ低パスで微細化されることが明確になった。３０パス処理試料における残存ファイバー量は５パス処理試料ほどの差は見られなかったが、Ｋ−１が他より少なかった。【００６９】  図２０のグラフを５パス処理試料の値が小さいものから順に並び替えたグラフを図２１に示す。５パス処理試料の残存ファイバー量は、蒸解温度が低い試料およびアルカリ蒸解の方が小さいことが分かる。また、５パス処理試料と３０パス処理試料の残存ファイバー量の値を比べると、Ａ−１、Ａ−３では大きな違いが無いものの、Ａ−２、Ａ−４、Ｋ−１では残存ファイバーが５パスから３０パスに掛けて大きく減少していることが分かる。【００７０】  この測定により計測された「残存ファイバー」は原料パルプに依存するため、Ａ−２、Ａ−４、Ｋ−１のように、ＡＣＣの処理回数が増加することで減少する。しかしＡ−１、Ａ−３では、５パス処理試料と３０パス処理試料の残存ファイバー量の値が殆ど変らないことから、マイクロサイズにおける微細化は５パスの時点で既に終了していると考えられる。すなわち、１〜５パスの間に、Ａ−２、Ａ−４、Ｋ−１に見られたような残存ファイバー量の劇的な減少が起こったと思われる。このことから、Ａ−２、Ａ−４、Ｋ−１よりもＡ−１、Ａ−３の方が「ナノ化され易い」試料であったと考えられる。【００７１】  光学顕微鏡の微分干渉観察モードで行った残存ファイバー量によるナノ微細化のされ易さの検討は「解繊が不十分なマイクロファイバーの残存状態」を比較した、いわば間接的な評価である。そのため、実際にナノ化されたナノファイバーの状態を確認しておく必要がある。【００７２】  そこで、各サンプルの５パス処理試料をＴＥＭ観察に供しナノファイバーの状態を比較した（図２２，図２３）。いずれのサンプルにも繊維幅４〜５ｎｍ程度のシングルナノファイバーが多く観察されたことから（図２３）、５パスでもナノ微細化は生じていることが確認された。
【符号の説明】
【００７３】  １０７・・・チャンバー、１０８ａ，１０８ｂ・・・ノズル、１０９・・・タンク、１１０・・・プランジャ、１１１・・・熱交換器。
【図１】
2018168520.tif 000010
【図２】
2018168520.tif 000011
【図３】
2018168520.tif 000012
【図４】
2018168520.tif 000013
【図５】
2018168520.tif 000014
【図６】
2018168520.tif 000015
【図７】
2018168520.tif 000016
【図８】
2018168520.tif 000017
【図９】
2018168520.tif 000018
【図１０】
2018168520.tif 000019
【図１１】
2018168520.tif 000020
【図１２】
2018168520.tif 000021
【図１３】
2018168520.tif 000022
【図１４】
2018168520.tif 000023
【図１５】
2018168520.tif 000024
【図１６】
2018168520.tif 000025
【図１７】
2018168520.tif 000026
【図１８】
2018168520.tif 000027
【図１９】
2018168520.tif 000028
【図２０】
2018168520.tif 000029
【図２１】
2018168520.tif 000030
【図２２】
2018168520.tif 000031
【図２３】
2018168520.tif 000032